(57)【特許請求の範囲】
【請求項１】
貨幣を収納する複数の貨幣収納部が装置本体に対して開閉可能に設けられた貨幣管理装置であって、
前記複数の貨幣収納部のそれぞれについて、貨幣を収納可能な開状態と貨幣を収納できない閉状態に切り替える状態切替部と、
入力部に対する入力操作または外部装置との通信により取得した収納対象貨幣の金種を含む入金情報に基づいて前記状態切替部を制御する制御部と、
前記装置本体の外部に設置され、前記収納対象貨幣を撮像して金種を含む貨幣情報を取得する貨幣情報取得部と、を備え、
前記制御部は、前記貨幣情報が前記入金情報に適合する場合に、前記状態切替部を制御して、前記貨幣情報に含まれる前記金種に対応する前記貨幣収納部の状態を、前記閉状態から開状態に切り替える、
ことを特徴とする貨幣管理装置。
【請求項２】
前記入金情報は、前記収納対象貨幣の数量情報を含み、
前記貨幣情報取得部は、前記収納対象貨幣の数量を前記貨幣情報としてさらに取得する、請求項１に記載の貨幣管理装置。
【請求項３】
前記収納対象貨幣は、所定数の貨幣が包装された包装貨幣であり、
前記貨幣情報取得部は、前記包装貨幣中の貨幣の枚数を前記貨幣情報としてさらに取得し、
前記制御部は、前記収納対象貨幣である前記包装貨幣について前記貨幣情報取得部により取得された枚数が適正である場合、前記貨幣収納部の状態を前記閉状態から開状態に切り替える、請求項１または２に記載の貨幣管理装置。
【請求項４】
前記貨幣情報取得部は、前記収納対象貨幣の合計額を前記貨幣情報としてさらに取得し、
前記制御部は、前記入金情報により特定される金額に前記貨幣情報取得部により取得された前記合計額が適合したことに基づいて、前記貨幣収納部の状態を前記閉状態から開状態に切り替える、請求項１ないし３の何れか一項に記載の貨幣管理装置。
【請求項５】
作業者に情報を提示する報知部を備え、
前記制御部は、前記入金情報に前記貨幣情報が適合しない場合、前記報知部を介してエラーメッセージを出力する、請求項１ないし４の何れか一項に記載の貨幣管理装置。
【請求項６】
前記状態切替部は、内部に前記貨幣収納部が配置されたドロアと、前記ドロアを閉塞状態にロックするドロアロック機構を備え、
前記制御部は、前記貨幣情報が前記入金情報に適合する場合に、前記ドロアロック機構によるロックを解除する、請求項１ないし５の何れか一項に記載の貨幣管理装置。
【請求項７】
貨幣を収納する複数の貨幣収納部が装置本体に対して開閉可能に設けられるとともに前記装置本体の外部において収納対象貨幣を撮像するための撮像手段を有する貨幣管理装置により行われる貨幣管理方法であって、
前記撮像手段により前記収納対象貨幣を撮像して金種を含む貨幣情報を取得し、
前記貨幣情報が、前記収納対象貨幣の金種を含む入金情報に適合する場合に、前記貨幣情報に含まれる前記金種に対応する前記貨幣収納部を、前記収納対象貨幣を収納できない閉状態から前記収納対象貨幣を収納可能な開状態に切り替える、貨幣管理方法。
【発明の詳細な説明】
【技術分野】
【０００１】
本発明は、貨幣を収納および保管する貨幣管理装置および貨幣管理方法に関する。
【背景技術】
【０００２】
従来、貨幣を収納および保管する貨幣管理装置が、銀行等で利用されている。たとえば、銀行では、出納機で出金できない大量現金の支払いや、出納機に収納し切れなくなった紙幣や硬貨等を出納機から取出して保管する場合に貨幣管理装置が使用される。貨幣管理装置に貨幣を収納する場合、紙幣は、所定枚数ごとに結束された状態で貨幣管理装置に収納される。また、硬貨は、所定枚数ごとに包装された状態で貨幣管理装置に収納される。出納機に貨幣が少なくなった場合に、貨幣管理装置から紙幣や硬貨が取り出されて出納機に戻される。
【０００３】
このような貨幣管理装置では、貨幣の収納状況が厳格に管理される必要がある。一般に、銀行等では、貨幣管理装置に貨幣を出し入れする際に、入出金する金額を行員が台帳等に記入する。貨幣管理装置側では、たとえば収納されている貨幣の重量を測定して、貨幣の収納金額が管理される。この場合、台帳等に記入した入出金金額と、実際に入出金された金額とが一致しない場合に、問題となる。
【０００４】
以下の特許文献１では、このような問題に対応可能な貨幣管理装置が記載されている。この貨幣管理装置では、作業者に入出金の金額を入力させ、入出金作業が完了した後に、貨幣管理装置で測定した入出金の金額と作業者が入力した入出金の金額とを比較して精査処理がなされる。そして、両金額が一致しなければ、再度入出金の作業を行うことが、作業者に促される。
【先行技術文献】
【特許文献】
【０００５】
【特許文献１】特開２００９−２９４７１１号公報
【発明の概要】
【発明が解決しようとする課題】
【０００６】
ところが、上記のような構成であっても、たとえば、実際に貨幣管理装置に収納するべき貨幣が手元にない場合であっても収納庫を開けることが可能であり、不正に繋がる可能性がある。
【０００７】
かかる課題に鑑み、本発明は、不適正な入金操作をより完全に防止することが可能な貨幣管理装置および貨幣管理方法を提供することを目的とする。
【課題を解決するための手段】
【０００８】
本発明の第１の態様は、貨幣を収納する複数の貨幣収納部が装置本体に対して開閉可能に設けられた貨幣管理装置に関する。本態様に係る貨幣管理装置は、前記複数の貨幣収納部のそれぞれについて、貨幣を収納可能な開状態と貨幣を収納できない閉状態に切り替える状態切替部と、入力部に対する入力操作または外部装置との通信により取得した収納対象貨幣の金種を含む入金情報に基づいて前記状態切替部を制御する制御部と、前記装置本体の外部に設置され、前記収納対象貨幣を撮像して金種を含む貨幣情報を取得する貨幣情報取得部と、を備える。ここで、前記制御部は、前記貨幣情報が前記入金情報に適合する場合に、前記状態切替部を制御して、前記貨幣情報に含まれる前記金種に対応する前記貨幣収納部の状態を、前記閉状態から開状態に切り替える。
【０００９】
本発明の第２の態様は、貨幣を収納する複数の貨幣収納部が装置本体に対して開閉可能に設けられるとともに前記装置本体の外部において収納対象貨幣を撮像するための撮像手段を有する貨幣収納装置により行われる貨幣管理方法に関する。この態様に係る貨幣管理方法は、前記撮像手段により前記収納対象貨幣を撮像して金種を含む貨幣情報を取得し、前記貨幣情報が、前記収納対象貨幣の金種を含む入金情報に適合する場合に、前記貨幣情報に含まれる前記金種に対応する前記貨幣収納部を、前記収納対象貨幣を収納できない閉状態から前記収納対象貨幣を収納可能な開状態に切り替える。
【発明の効果】
【００１０】
本発明によれば、収納対象貨幣から取得された貨幣情報が入金情報に適合する場合に、貨幣情報に含まれる金種に対応する貨幣収納部が、収納対象貨幣を収納できない閉状態から前記収納対象貨幣を収納可能な開状態に切り替えられる。したがって、たとえば、収納対象貨幣が手元にないような場合は、貨幣情報が取得されないため、貨幣収納部が貨幣を収納可能な開状態に切り替えられることがなく、貨幣収納部は貨幣を収納できない閉状態に維持される。このため、不正を未然に防止できる。
【００１１】
よって、本発明によれば、不適正な入金操作をより完全に防止することが可能な貨幣管理装置および貨幣管理方法を提供することができる。
【００１２】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【００１３】
【図１】図１は、実施形態１に係る貨幣処理システムの外観を示す斜視図である。
【図２】図２（ａ）ないし（ｄ）は、それぞれ、実施形態１に係る貨幣管理装置で扱われる貨幣を模式的に示す図である。
【図３】図３（ａ）、（ｂ）は、それぞれ、実施形態１に係る貨幣管理装置のドロアの外観を示す斜視図である。
【図４】図４は、実施形態１に係る貨幣処理システムの主たる構成を示すブロック図である。
【図５】図５（ａ）は、実施形態１に係る貨幣管理装置の入力部のキー構成を示す図である。図５（ａ）、（ｂ）それぞれ、実施形態１に係る貨幣処理装置の表示部に表示される画面の構成を模式的に示す図である。
【図６】図６は、実施形態１に係る貨幣管理装置の入金処理を示すフローチャートである。
【図７】図７（ａ）は、実施形態１に係る貨幣管理装置の入金処理を示すフローチャートである。図７（ｂ）は、実施形態１に係る貨幣管理装置のドロアのロック処理を示すフローチャートである。
【図８】図８（ａ）は、実施形態１に係る貨幣管理装置の他の入金処理を示すフローチャートである。図８（ｂ）は、変更例に係る貨幣管理装置の外観を示す斜視図である。
【図９】図９（ａ）は、実施形態２に係る貨幣処理システムの外観を示す斜視図である。図９（ｂ）は、実施形態２に係るドロアの構成を示す斜視図である。
【図１０】図１０は、実施形態２に係る貨幣管理装置の入金処理を示すフローチャートである。
【図１１】図１１（ａ）は、実施形態２に係る貨幣管理装置の入金処理を示すフローチャートである。図１１（ｂ）は、実施形態に係る貨幣管理装置の小扉の閉塞処理を示すフローチャートである。
【図１２】図１２は、実施形態３に係る貨幣処理システムの外観を示す斜視図である。
【発明を実施するための形態】
【００１４】
以下、本発明の実施形態について、図面を参照して説明する。
【００１５】
＜実施形態１＞
以下の実施形態には、硬貨および紙葉類を処理する出納機に通信線で接続された貨幣管理装置に本発明を適用した例が示されている。
【００１６】
本実施形態において、紙幣収納領域２６１および硬貨収納領域２６２が特許請求の範囲に記載の「貨幣収納部」に対応する。また、ドロア２６ａ〜２６ｄおよびロック機構２０１が特許請求の範囲に記載の「状態切替部」に対応する。ドロア２６ａ〜２６ｄが引き出された状態が特許請求の範囲に記載の「開状態」に対応し、ドロア２６ａ〜２６ｄが閉じられロックされた状態が特許請求の範囲に記載の「閉状態」に対応する。また、紙幣計数部２３とカメラ２５が特許請求の範囲に記載の「貨幣情報取得部」に対応する。カメラ２５の撮像画像に基づき判定された金種と、紙幣計数部２３により計数された小束紙幣の枚数が、特許請求の範囲に記載の「貨幣情報」に相当し、出納機１０から貨幣管理装置２０に送信される入金情報および貨幣管理装置２０において手入力で設定される入金情報と小束紙幣の正規の枚数（１００枚）に関する情報が特許請求の範囲に記載の「入金情報」に相当する。
【００１７】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００１８】
図１は、本実施形態に係る貨幣処理システム１の外観を示す斜視図である。
【００１９】
貨幣処理システム１は、出納機１０と貨幣管理装置２０とを備える。通常、貨幣管理装置２０は、出納機１０の近辺に配置される。出納機１０で出金できない大量現金の支払いや、出納機１０に収納しきれなくなった硬貨や紙幣が貨幣管理装置２０に移される。また、出納機１０に貨幣が少なくなった場合は、貨幣管理装置２０から紙幣や硬貨が取り出されて出納機１０に戻される。出納機１０と貨幣管理装置２０は、通信線により接続され、互いに通信可能である。
【００２０】
出納機１０は、束紙幣を処理する束紙幣処理ユニット１１と、バラ紙幣を処理するバラ紙幣処理ユニット１２と、包装硬貨を処理する包装硬貨処理ユニット１３と、バラ硬貨を処理するバラ硬貨処理ユニット１４とを備えている。束紙幣処理ユニット１１とバラ紙幣処理ユニット１２には、それぞれ、束紙幣を出金する束紙幣出金口１１ａと、バラ紙幣を出金するバラ紙幣出金口１２ａが設けられている。また、包装硬貨処理ユニット１３とバラ硬貨処理ユニット１４には、それぞれ、包装硬貨を出金する包装硬貨出金口１３ａと、バラ硬貨を出金するバラ硬貨出金口１４ａが設けられている。
【００２１】
さらに、出納機１０は、入力部１５と、表示部１６と、カードリーダ１７と、プリンタ１８を備えている。入力部１５と表示部１６は、それぞれ、機械式のキーボードおよびモニタであり、出納機１０に対する作業者のインタフェースとして利用される。カードリーダ１７は、作業者が所持するＩＤカードを読み取る。プリンタ１８は、レシート発行装置として機能する。本実施形態では、後述のように、出納機１０から貨幣管理装置２０に貨幣を移す際に、連動番号（４桁の数字）が印字されたレシートがプリンタ１８により発行され、作業者に渡される。
【００２２】
貨幣管理装置２０は、入力部２１と、表示部２２と、紙幣計数部２３と、棚２４と、カメラ２５と、４つのドロア２６ａ〜２６ｄと、カードリーダ２７とを備えている。入力部２１と表示部２２は、それぞれ、機械式のキーボードおよびモニタであり、貨幣管理装置２０に対する作業者のインタフェースとして利用される。紙幣計数部２３は、セット部２３ａにセットされた紙幣の枚数を計数する。紙幣は、表面が略鉛直となるように、セット部２３ａにセットされる。棚２４には、後述のように紙幣または硬貨の撮像の際に、紙幣または硬貨が載置される。カメラ２５は、撮像方向が鉛直下向きとなるように、支持フレーム２５ａによって支持されている。本実施形態では、カメラ２５の撮像領域が、棚２４上面の略全領域に設定されている。
【００２３】
４つのドロア２６ａ〜２６ｄは、それぞれ、収納する貨幣の金種が決まっている。本実施形態では、最上段のドロア２６ａは１万円紙幣の収納に用いられ、２段目のドロア２６ｂはその他の金種の紙幣の収納に用いられる。また、３段目のドロア２６ｃには１００円、１０円および１円の硬貨の収納に用いられ、最下段のドロア２６ｄは５００円、５０円および５円の硬貨の収納に用いられる。ドロア２６ａ〜２６ｄは、ロック機構２０１（図１には図示せず、図４参照）によって、それぞれ個別に、閉塞位置にロックされている。ドロア２６ａ〜２６ｄは、バネ等の付勢手段によって開放方向に付勢されている。したがって、ドロア２６ａ〜２６ｄは、それぞれ、ロック機構２０１によるロックが解除されると、付勢手段による付勢によって、僅かに引き出される。
【００２４】
本実施形態において、紙幣は、１００枚が結束された小束紙幣および１０束の小束紙幣が結束された大束紙幣の形態で、ドロア２６ａ、２６ｂに収納される。また、硬貨は、５０枚ごとに包装された包装硬貨の形態で、ドロア２６ｃ、２６ｄに収納される。作業者は、小束紙幣を束紙幣出金口１１ａから取出し、適宜、小束紙幣を１０束ごとに結束して大束紙幣としてドロア２６ａ、２６ｂに収納し、また、包装硬貨を包装硬貨出金口１３ａから取出して、ドロア２６ｃ、２６ｄに収納する。
【００２５】
図２（ａ）、（ｂ）は、それぞれ、小束紙幣および大束紙幣を模式的に示す図、図２（ｃ）は包装硬貨の構成を模式的に示す図である。図２（ｂ）に示すように、大束紙幣は、１０束の小束紙幣を重ねた状態で、長手方向と短手方向に紙帯で結束した構成となっている。また、図２（ｄ）に示すように、１０個の包装硬貨が輪ゴム等で束状に纏められてドロア２６ｃ、２６ｄに収納される場合もある。
【００２６】
図３（ａ）、（ｂ）は、それぞれ、２段目のドロア２６ｂと最下段のドロア２６ｄの内部構造を示す斜視図である。
【００２７】
図３（ａ）に示すように、ドロア２６ｂには、３種類の金種の紙幣の束が、規則正しく収納保管される。図３（ａ）の例では、ドロア２６ｂの内部が、８つの紙幣収納領域２６１が区画されており、紙幣収納領域２６１ごとに、収納保管される紙幣の金種が決められている。８つの紙幣収納領域２６１には、それぞれ、ロードセル２０２（図３（ａ）には図示せず、図４参照）が配置され、このロードセル２０２によって各紙幣収納領域２６１に収納された紙幣の総重量が計測される。なお、ドロア２６ａもドロア２６ｂと同様の構成となっている。
【００２８】
また、図３（ｂ）に示すように、ドロア２６ｄには、３種類の金種の包装硬貨が、規則正しく収納保管される。図３（ｂ）の例では、ドロア２６ｄの内部が、３つの硬貨収納領域２６２に区画されており、硬貨収納領域２６２ごとに、収納保管される硬貨の金種が決められている。３つの硬貨収納領域２６２には、それぞれ、ロードセル２０２（図３（ａ）には図示せず、図４参照）が配置され、このロードセル２０２によって各硬貨収納領域２６２に収納された硬貨の総重量が計測される。なお、ドロア２６ｃもドロア２６ｄと同様の構成となっている。
【００２９】
図４は、出納機１０と貨幣管理装置２０の要部構成を示すブロック図である。
【００３０】
図４に示すように、出納機１０は、図１に示す束紙幣処理ユニット１１、バラ紙幣処理ユニット１２、包装硬貨処理ユニット１３、バラ硬貨処理ユニット１４、入力部１５、表示部１６およびカードリーダ１７の他、回路系の構成として、制御部１０１、記憶部１０２および通信部１０３を備えている。
【００３１】
制御部１０１は、ＣＰＵ（Central Processing Unit）等の演算回路を備え、記憶部１０２に記憶されたプログラムに従って、各部を制御する。記憶部１０２は、ＲＯＭ（Read Only Memory）、ＲＡＭ（Random Access Memory）やハードディスク等の記憶媒体を備え、制御部１０１の動作プログラムを記憶し、また、制御部１０１の制御処理の際にワーク領域として利用される。通信部１０３は、通信インタフェースであって、通信回線で貨幣管理装置２０の通信部２０６に接続されている。なお、通信部１０３と通信部２０６との間の通信は、有線に限らず、無線で行われても良い。
【００３２】
また、図４に示すように、貨幣管理装置２０は、図１に示す入力部２１、表示部２２、紙幣計数部２３、カメラ２５およびカードリーダ２７の他、ロック機構２０１、ロードセル２０２、報知部２０３、制御部２０４、記憶部２０５および通信部２０６を備えている。上記のように、ロック機構２０１は、ドロア２６ａ〜２６ｄをそれぞれ閉塞状態にロックする。また、ロードセル２０２は、上記のように、ドロア２６ａ〜２６ｄに配された紙幣収納領域２６１および硬貨収納領域２６２に収納された紙幣および硬貨の総重量を領域ごとに計測する。
【００３３】
報知部２０３は、スピーカを備え、貨幣保管装置２０に対する貨幣の入出金時に所定のガイダンス、メッセージ、その他の音声を出力する。
【００３４】
制御部２０４は、ＣＰＵ等の演算回路を備え、記憶部２０５に記憶されたプログラムに従って、各部を制御する。記憶部２０５は、ＲＯＭ、ＲＡＭやハードディスク等の記憶媒体を備え、制御部２０４の動作プログラムを記憶し、また、制御部２０４の制御処理の際にワーク領域として利用される。記憶部２０５には、後述の入金操作時の制御プログラムが記憶されている。この制御プログラムには、入金に関する入金情報の一つとして、小束紙幣の正規の枚数（１００枚）が保持されている。
【００３５】
通信部２０６は、通信インタフェースであって、通信回線で出納機１０の通信部１０３に接続されている。上記のように、通信部１０３と通信部２０６との間の通信は、有線に限らず、無線で行われても良い。
【００３６】
図５（ａ）は、貨幣管理装置２０の入力部２１の構成を模式的に示す図である。
【００３７】
上記のように、入力部２１は、機械式のキーボードにより構成されている。図５に示すように、入力部２１は、数字を入力するためのテンキーＢ１１と、収納または取出す貨幣の数を束数または本数単位で入力するための束／本キーＢ１２と、処理の指定または入力項目の確定を行うための実行キーＢ１３と、処理の確定および確認を行うための完了キーＢ１４と、カーソルを上下に移動させるためのカーソルキーＢ１５と、を備えている。さらに、入力部２１は、収納または取出す硬貨の金種を指定するための硬貨金種キーＢ１６と、収納または取出す紙幣の金種を指定するための紙幣金種キーＢ１７と、表示されているウインドウを一つ前のウインドウに戻す切替キーＢ１８と、入力中の数値を訂正する訂正キーＢ１９と、を備えている。硬貨金種キーＢ１６および紙幣金種キーＢ１７には、各キーに金種の表示が付されている。１千円札の紙幣金種キーＢ１７と、１円硬貨の硬貨金種キーＢ１６は、それぞれ、カーソルを左右方向に移動させるためのキーとして共用される。
【００３８】
貨幣管理装置２０に対する貨幣収納時に、作業者が、貨幣管理装置２０に対して、手動で、入金情報を入力する場合、作業者は、図５（ａ）に示す入力部２１を操作して、貨幣管理装置２０に入金する貨幣の金種と数（小束の束数、包装硬貨の本数）を入力する。このとき、金種の入力は、硬貨金種キーＢ１６または紙幣金種キーＢ１７を用いて行われる。また、小束紙幣の束数や包装硬貨の本数の入力は、テンキーＢ１１と束／本キーＢ１２を用いて行われる。なお、大束紙幣を入金する場合、作業者は、該当金種を入力した上で、１０束と入力する。
【００３９】
図５（ｂ）、（ｃ）は、それぞれ、作業者が小束紙幣および包装硬貨の入金操作を行う場合に表示部２２に表示される画面の一例を示している。
【００４０】
図５（ｂ）、（ｃ）に示すように、入金操作時の画面は、領域Ｒ１１〜領域Ｒ１７を含んでいる。領域Ｒ１１には、当該操作が入金（収納）に係るものであることが表示される。領域Ｒ１２には、収納操作のシリアル番号が表示され、領域Ｒ１３には、作業者のＩＤ情報が表示される。作業者のＩＤ情報は、入金操作の際に作業者が自身のＩＤカードをカードリーダ２７に読み取らせることにより取得される。領域Ｒ１４には、入金操作の際の際に行われるべき手順が表示される。領域Ｒ１５には、入金操作により入力された入金情報が金種ごとに表示され、また、その合計額が表示される。領域Ｒ１６には、画面の切り替えを行う場合の操作が表示される。領域Ｒ１７には、現在の日時が表示される。
【００４１】
作業者は、自身が収納しようとする貨幣の入金情報を、図５（ｂ）、（ｃ）の画面を参照しながら、図５（ａ）の入力部２１により入力する。そして、収納対象の貨幣に関する入金情報の入力が完了すると、作業者は、完了キーＢ１４を押下して、入金操作を確定させる。
【００４２】
以上は貨幣管理装置２０に貨幣を収納する際に手入力で入金情報を入力する方法であるが、本実施形態では、貨幣管理装置２０と出納機１０が通信可能であるため、出納機１０から貨幣管理装置２０に貨幣を移す場合は、通信により、入金情報が、出納機１０から貨幣管理装置２０に送信される。
【００４３】
この場合、作業者は、出納機１０に対して自身のＩＤカードを読み取らせた上で、出納機１０から貨幣管理装置２０に移し替える貨幣の金種と貨幣の数（小束紙幣の束数、包装硬貨の本数）を出納機１０に入力して、出納機１０から当該貨幣を取り出す。このとき、出納機１０の制御部１０１は、こうして取出された貨幣に関する情報（金種と個数を含む）を、貨幣管理装置２０において設定される入金情報として、固有の連動番号（４桁の数字）に紐づけて記憶部１０２に記憶させ、記憶させた連動番号が印字されたレシートをプリンタ１８に出力させる。こうして、作業者は、当該貨幣の連動番号を取得する。
【００４４】
出納機１０から取出した貨幣を貨幣管理装置２０に収納する場合、作業者は、貨幣管理装置２０に対して自身のＩＤカードを読み取らせた上で、レシートに印字された連動番号を貨幣管理装置２０に入力する。これにより、当該貨幣を出納機１０から取出す際に出納機１０の記憶部１０２に記憶された入金情報が、貨幣管理装置２０に送信される。
【００４５】
図６および図７（ａ）は、連動番号に基づき入金情報を出納機１０から取得する場合の貨幣管理装置２０における収納処理を示すフローチャートである。この処理は、貨幣管理装置２０の制御部２０４において行われる。
【００４６】
図６を参照して、制御部２０４は、作業者から連動番号の入力を受け付ける（Ｓ１０１）。作業者から連動番号が入力されると（Ｓ１０２：ＹＥＳ）、制御部２０４は、入力された連動番号を含む入金情報の問合せ情報を、通信部２０６を介して出納機１０に送信する。これにより、出納機１０の制御部１０１は、記憶部１０２から対応する入金情報を読み出して、貨幣管理装置２０に送信する。これにより、制御部２０４は、連動番号に対応する入金情報（金種と個数）を取得する（Ｓ１０３）。
【００４７】
なお、制御部２０４は、取得した入金情報を表示部２２には表示させない。あるいは、制御部２０４は、取得した入金情報を表示部２２には表示させるが、表示された入金情報を入力部２１により修正することを受け付けない。
【００４８】
次に、制御部２０４は、受信した入金情報により特定される金種、すなわち、収納対象の貨幣の金種が複数あるか否かを判定する（Ｓ１０４）。金種が複数ある場合（Ｓ１０４：ＹＥＳ）、制御部２０４は、まず、何れか一つの金種を収納対象の金種（以下、「収納対象金種」という）に設定する（Ｓ１０５）。たとえば、入金情報により特定される金種が１万円と１千円である場合、制御部２０４は、このうち１万円を収納対象金種に設定する（Ｓ１０５）。入金情報により特定される金種が一つのみである場合、制御部２０４は、Ｓ１０５をスキップして、当該金種を収納対象金種に設定する。
【００４９】
ここで、制御部２０４は、収納対象金種の貨幣を棚２４に置いてカメラ２５に撮像させることを促すガイダンスを出力する。このガイダンスは、表示部２２に表示されても良いし、報知部２０３から音声で出力されても良い。これ以降に行われるガイダンスも同様に表示および音声の一方または双方で行われる。
【００５０】
このガイダンスに従って、作業者は、収納対象金種の貨幣を棚２４の上に載置する。小束紙幣を収納する場合、作業者は、小束紙幣を一つだけ、表面または裏面が上を向くように棚２４に載置する。大束紙幣を収納する場合、作業者は、大束紙幣を一つだけ、表面または裏面が上を向くように棚２４に載置する。包装硬貨を収納する場合、作業者は、所定本数の包装硬貨を鉛直方向に立てた状態で棚２４に載置する。
【００５１】
なお、このように棚２４に載置された貨幣が、特許請求の範囲に記載の「収納対象貨幣」に対応する。以下、この貨幣を「収納対象貨幣」と称する。
【００５２】
その後、カメラ２５が収納対象貨幣を撮像し、撮像した画像を制御部２０４に送る。制御部２０４は、受信した撮像画像を解析して、棚２４に載置されている収納対象貨幣の金種を識別する（Ｓ１０６）。棚２４に複数の包装硬貨が載置されている場合、制御部２０４は、各包装硬貨の金種を識別する。
【００５３】
すなわち、貨幣管理装置２０の記憶部２０５には、図２（ａ）〜（ｄ）に示す各貨幣の平面画像（表面および裏面）のテンプレートが金種ごとに記憶されている。制御部２０４は、カメラ２５により撮像された画像と各金種のテンプレートとを照合し、撮像画像に整合するテンプレートの金種を、収納対象貨幣の金種として識別する。大束紙幣か小束紙幣かの識別は、紙帯による結束状態に基づいて行われる。
【００５４】
制御部２０４は、識別した金種が、入金情報をもとに設定した収納対象金種に一致するか否かを判定する（Ｓ１０７）。棚２４に複数の包装硬貨が載置されている場合、制御部２０４は、これら包装硬貨の金種が全て収納対象金種に一致するか否かを判定する。両金種が一致しない場合（Ｓ１０７：ＮＯ）、制御部２０４は、作業者が収納しようとしている収納対象貨幣の金種が適切ではないことを報知する確認メッセージを報知部２０３に出力させる（Ｓ１０８）。撮像画像から識別した金種が収納対象金種に適合する場合（Ｓ１０７：ＹＥＳ）、制御部２０４は、棚２４に載置された貨幣が小束紙幣であるか否かを判定する（Ｓ１０９）。
【００５５】
当該貨幣が小束紙幣でない場合（Ｓ１０９：ＮＯ）、制御部２０４は、ロック機構２０１を制御して、ドロア２６ａ〜２６ｄのうち収納対象金種に対応するドロアの施錠を解除する（Ｓ１１３）。これにより、収納対象貨幣の収納が可能となる。
【００５６】
収納対象貨幣が小束紙幣である場合（Ｓ１０９：ＹＥＳ）、制御部２０４は、小束紙幣の計数処理を紙幣計数部２３に行わせる。このとき、制御部２０４は、小束紙幣を紙幣計数部２３にセットすることを促すガイダンスを出力する。このガイダンスにより作業者は、当該小束紙幣を紙幣計数部２３にセットする。紙幣計数部２３は、セットされた小束紙幣を計数し、計数値を制御部２０４に送信する（Ｓ１１０）。これを受けて、制御部２０４は、計数値が正規の枚数（１００枚）に一致するか否かを判定する（Ｓ１１１）。計数値が正規の枚数に一致しない場合（Ｓ１１１：ＮＯ）、制御部２０４は、作業者が収納しようとしている小束紙幣の枚数が適切ではないことを報知する確認メッセージを報知部２０３に出力させる（Ｓ１１２）。計数値が正規の枚数に一致する場合（Ｓ１１１：ＹＥＳ）、制御部２０４は、ロック機構２０１を制御して、ドロア２６ａ〜２６ｄのうち当該小束紙幣に対応するドロアのロックを解除する（Ｓ１１３）。これにより、収納対象貨幣（小束紙幣）の収納が可能となる。
【００５７】
Ｓ１１３の工程において、制御部２０４は、棚２４に載せられている収納対象貨幣をロックが解除されたドロアに収納することを促すガイダンスを出力する。このガイダンスに従い、作業者は、ロックが解除されたドロアを開放し、棚２４上の収納対象貨幣をドロア内に収納する。
【００５８】
図７（ａ）を参照して、その後、制御部２０４は、開放されたドロアの何れかの貨幣収納領域（たとえば、図３（ａ）、（ｂ）の紙幣収納領域２６１または硬貨収納領域２６２）において、ロードセル２０２により重量の変化が検知されたか否かを判定する（Ｓ１１４）。何れかの貨幣収納領域において重量変化が検知されると（Ｓ１１４：ＹＥＳ）、制御部２０４は、重量変化が検知された貨幣収納領域が、収納対象の貨幣が収納されるべき貨幣収納領域に対応するか否か、すなわち、収納対象貨幣が適正な貨幣収納領域に収納されたか否かを判定する（Ｓ１１５）。
【００５９】
ドロアに対する収納対象貨幣の収納領域が適正でない場合（Ｓ１１５：ＮＯ）、制御部２０４は、収納領域が適正ではないことを報知するメッセージを報知部２０３に出力させる（Ｓ１１６）。これにより、作業者は、正しい貨幣収納領域に収納対象貨幣を収納し直す。ドロアに対する貨幣の収納領域が適正である場合（Ｓ１１５：ＹＥＳ）、制御部２０４は、収納対象金種の全ての貨幣について収納作業が終了したか否かを判定する（Ｓ１１７）。具体的には、制御部２０４は、ロードセル２０２の重量変化から当該ドロアに収納された貨幣の数（小束紙幣の束数または包装硬貨の本数）を算出し、算出した貨幣の数と、入金情報により特定される収納対象金種の貨幣の数とを比較し、両者が一致する場合に、収納対象金種の全ての貨幣について収納作業が終了したと判定する。
【００６０】
収納対象金種に対する収納作業が終了していない場合（Ｓ１１７：ＮＯ）、制御部２０４は、処理をＳ１０６に戻して、収納対象金種の残りの貨幣についてＳ１０６以降の処理を繰り返す。このとき、制御部２０４は、収納対象金種の次の貨幣を棚２４に載置することを促すガイダンスを出力する。これにより、次の貨幣に対する作業が作業者により進められる。
【００６１】
収納対象金種に対する収納作業が終了した場合（Ｓ１１７：ＹＥＳ）、制御部２０４は、開放中のドロアを閉じることを促すガイダンスを出力する。そして、制御部２０４は、入金情報により特定される金種のうち収納作業が未処理の金種が残っているか否かを判定する（Ｓ１１８）。未処理の金種が残っていると（Ｓ１１８：ＮＯ）、制御部２０４は、処理をＳ１０４に戻し、未処理の金種について、Ｓ１０４以降の処理を実行する。こうして、入金情報により特定される全ての金種について収納作業が終了すると（Ｓ１１８：ＹＥＳ）、制御部２０４は、当該連動番号の貨幣に対する処理を終了する。
【００６２】
このとき、制御部２０４は、適正に入金処理が行われたことを示すフラグを連動番号およびユーザＩＤ、操作日時に紐づけて記憶部２０５に記憶させる。制御部２０４は、さらに、Ｓ１０７、Ｓ１０９、Ｓ１１５の判定結果を連動番号に紐づけて記憶部２０５に記憶させても良い。また、制御部２０４は、適正に入金処理が完了されなかった場合は、そのことを示すフラグを連動番号およびユーザＩＤ、操作日時に紐づけて記憶部２０５に記憶させ、併せて、Ｓ１０７、Ｓ１０９、Ｓ１１５の何れで問題が生じたかの情報を、連動番号に紐づけて記憶部２０５に記憶させる。
【００６３】
図７（ｂ）は、ドロアのロック処理を示すフローチャートである。図７（ｂ）の処理は、図６のＳ１１３によりドロアのロックが解除されることにより開始される。
【００６４】
制御部２０４は、図６のＳ１１３でロックが解除されたドロア（ここでは「対象ドロア」という）が閉じられたか否かを判定する（Ｓ２０１）。対象ドロアが閉じられると（Ｓ２０１：ＹＥＳ）、制御部２０４は、対象ドロアに収納された貨幣について精査を行う（Ｓ２０２）。すなわち、制御部２０４は、対象ドロアに設置されたロードセル２０２の重量変化から、図６のＳ１１３で施錠が解除された後に対象ドロアに収納された金種の貨幣の数（小束紙幣の束数または包装硬貨の個数）を算出する。そして、算出した貨幣の数が、入金情報により特定される対象ドロアに収納されるべき収納対象金種の貨幣の数に一致するか否かを判定する。２つの貨幣の数量が一致しない場合（Ｓ２０２：ＮＯ）、制御部２０４は、収納が適正に行われなかったとして、エラーメッセージを報知部２０３に出力させる（Ｓ２０３）。２つの貨幣の数量が一致する場合（Ｓ２０２：ＹＥＳ）、制御部２０４は、ロック機構２０１を制御して対象ドロアを施錠し（Ｓ２０４）、処理を終了する。
【００６５】
次に、手入力により貨幣情報が入力される場合の処理について説明する。
【００６６】
図８（ａ）は、図５（ａ）に示す入力部２１を操作して、作業者が、貨幣管理装置２０に貨幣を収納する際に手入力で入金情報を入力する際の貨幣管理装置２０における収納処理を示すフローチャートである。この処理は、出納機１０以外の場所から貨幣を貨幣管理装置２０に移す場合に実行される。この場合、貨幣管理装置２０には、連動番号が入力されず、図５（ａ）に示す入力部２１を介して作業者が手入力で、収納しようとする貨幣に関する入金情報を入力する。
【００６７】
図８（ａ）のフローチャートは、図６のフローチャートのＳ１０１〜Ｓ１０３が、Ｓ１３１、Ｓ１３２に置き換えられている。Ｓ１３１において、制御部２０４は、入力部２１を介した作業者からの入金情報の入力を受け付ける。そして、作業者からの入力が完了すると（Ｓ１３２：ＹＥＳ）、制御部２０４は、入力された入金情報に基づいて、Ｓ１０４以降の処理を実行する。Ｓ１０４移行の処理は、図６および図７（ａ）と同様である。
【００６８】
＜実施形態の効果＞
本実施の形態によれば、以下の効果が奏され得る。
【００６９】
収納対象貨幣についてカメラ２５および紙幣計数部２３を介して取得された貨幣情報（金種、小束紙幣中の紙幣の枚数）が、当該貨幣の入金情報（金種および小束紙幣の正規の枚数）に適合しない場合、ドロア２６ａ〜２６ｄのロックが解除されず、ドロア２６ａ〜２６ｄに対する貨幣の収納が抑止される。よって、貨幣の入れ間違いや不正等が介在したまま不適正に、貨幣がドロア２６ａ〜２６ｄに収納されることを防止できる。
【００７０】
また、図６のフローチャートでは、貨幣管理装置２０に連動番号を入力することにより、連動番号に紐づけられた入金情報が、出納機１０の記憶部１０２から貨幣管理装置２０に送信され、貨幣管理装置２０に設定される。ここで、出納機１０から送信された入金情報は、貨幣管理装置２０側では修正することができない。よって、貨幣管理装置２０に対する入金情報の設定において誤りや不正が介在することがなく、出納機１０から取出された貨幣の貨幣管理装置２０に対する収納をより適正に行うことができる。
【００７１】
また、図８（ａ）のフローチャートでは、貨幣管理装置２０に対する貨幣の収納時に、作業者により、手入力で、収納しようとする貨幣を特定する入金情報が入力される。これにより、貨幣管理装置２０が出納機１０に接続されていない場合や、出納機１０以外の場所から貨幣を貨幣管理装置２０に収納および保管する場合も、円滑に作業を進めることができる。
【００７２】
また、収納対象貨幣の撮像画像から識別された金種が入金情報により特定される金種に適合しない場合、確認メッセージが作業者に報知される。これにより、収納作業の誤りを是正することができる。また、確認メッセージが出力されることを予め作業者が把握することで、不正行為の実行を未然に抑止することができる。
【００７３】
また、収納対象の小束紙幣の枚数が正規の枚数に一致しない場合、確認メッセージが作業者に報知される。これにより、収納作業時に小束紙幣から不正に紙幣が抜き取られることを防止できる。
【００７４】
また、ドロアにおいて、収納対象の貨幣の収納領域とは異なる収納領域に収納対象貨幣が収納されると、作業者に確認メッセージが報知される。これにより、ドロアに対する収納対象貨幣の入れ間違いを防止できる。
【００７５】
＜変更例１＞
上記実施形態は、以下のとおり、適宜変更され得る。
【００７６】
たとえば、上記実施形態では、カメラ２５により上方から貨幣を撮像したが、たとえば、図８（ｂ）のように、棚２４にスキャナ２８の読取領域を設置し、スキャナ２８によって、収納対象貨幣の裏面画像を取得しても良い。この場合、収納対象貨幣はスキャナ２８の読取領域に載置される。
【００７７】
なお、図８（ｂ）の構成では、棚２４のスキャナ２８の左側にカメラ２９が配置され、スキャナ２８に載置された収納対象貨幣の左側面がカメラ２９によって撮像される。スキャナ２８に複数の小束紙幣が積み重ねられて載置された場合には、このことが、カメラ２９の撮像画像によって検知され、また、積み重ねられた小束紙幣の数が検知され得る。さらに、大束紙幣が棚２４に載置された場合、たとえば、カメラ２９の撮像画像中の紙帯の数により大束紙幣中の小束紙幣の個数を判定でき、大束紙幣から小束紙幣が抜き取られていないかを判定できる。また、撮像画像中の各小束紙幣の幅を参照することにより、大束紙幣中の小束紙幣が他の金種の小束紙幣へ差替えられていないかを判定できる。このように、カメラ２９の撮像画像により、大束紙幣に対する不正を見極めることができる。
【００７８】
また、上記実施の形態では、小束紙幣についてのみ紙幣の枚数が計数されたが、他の貨幣についても枚数が計数されても良い。たとえば、包装硬貨の長さや重量を測定し、測定結果から包装硬貨中の硬貨の枚数が算出されても良い。この場合、たとえば、重量計や長さを図る測定器が貨幣処理装置２０に搭載される。あるいは、図８（ｂ）の構成のように、カメラ２９によって包装硬貨の側面画像を取得する場合は、側面画像を解析することによって、包装硬貨中の硬貨の枚数が計数されても良い。この場合、包装硬貨の包装は透明である必要がある。このように、包装硬貨の枚数を計数する場合、図６のＳ１１０〜Ｓ１１２の処理が包装硬貨にも適用され、包装硬貨の枚数が適正でない場合は、ドロアのロックが解除されない。これにより、包装硬貨に対する不正な抜き取りも防止できる。
【００７９】
また、上記実施形態では、金種と小束紙幣の枚数の両方が、ドロアのロック解除条件とされたが、何れか一方のみがドロアのロック解除条件とされても良く、さらに他の条件がドロアのロック解除条件として追加されても良い。
【００８０】
また、上記実施形態では、連動番号の入力により入金情報が出納機１０から送信され、あるいは、手入力により貨幣管理装置２０に入金情報が設定されたが、デフォルトで金種と個数を示す入金情報が貨幣管理装置２０に設定されていても良い。
【００８１】
また、上記実施形態では、連動番号が貨幣管理装置２０に入力されることにより、貨幣管理装置２０から入金情報の取得要求が出納機１０に送信されたが、出納機１０が連動番号を発行したタイミングで、発行した連動番号と入金情報を貨幣管理装置２０に送信し、貨幣管理装置２０の記憶部２０５がこれを記憶する形態であっても良い。この場合、貨幣管理装置２０の制御部２０４は、作業者により入力された連動番号に対応する入金情報を記憶部２０５から読み出して取得する。
【００８２】
また、上記実施形態では、図６のロック解除処理が貨幣管理装置２０側で行われたが、このロック解除処理が、出納機１０または他の制御装置によって行われても良い。たとえば出納機１０においてロック解除処理が行われる場合、カメラ２５により撮像された画像が出納機１０に送信され、収納対象貨幣の金種が出納機１０において識別される。また、貨幣管理装置２０側で入力された連動番号が出納機１０の制御部１０１に送信される。こうして送信された連動番号に紐づけられた入金情報が出納機１０の制御部１０１により読み出され、撮像画像から識別された金種と入金情報により特定される金種との整合性が判定される。両者が一致する場合に、出納機１０から貨幣管理装置２０に、収納対象貨幣に対応するドロアのロック解除指令が送信される。これを受けて貨幣管理装置２０の制御部２０４は、対応するドロアのロックを解除する。また、小束紙幣の計数値も、同様に、出納機１０に送信され、出納機１０の制御部１０１において、計数値の適否が判定される。そして、計数値が適正である場合に、出納機１０から貨幣管理装置２０に、収納対象貨幣に対応するドロアのロック解除指令が送信される。こうして受信したロック解除指令により、貨幣管理装置２０において、対応するドロアのロックが解除される。なお、このような制御を、出納機１０以外の他の制御装置で行うことも可能である。
【００８３】
また、上記実施形態では、カメラ２５により棚２４上面が撮像されたが、棚２４の上面とともに、引き出されたドロアの内部も撮像できるように、カメラ２５のアングルが設定されても良い。こうすると、貨幣管理装置２０での作業を動画等により撮影できる。これにより、たとえば、貨幣が棚２４からドロア２６ａ〜２６ｄに不正無く移されているかを動画で確認することができ、不審な動作があった場合には使用者に報知することで不正行為を抑止することができる。なお、可能であれば、紙幣計数部２３のセット部２３ａまで、カメラ２５のアングルが広げられると良い。これにより、棚２４に置かれた小束紙幣のその後の全ての移動工程を動画で記憶しておくことができる。
【００８４】
また、上記実施形態では、収納対象の小束紙幣が同一金種において複数存在する場合、作業者は、小束紙幣を一つずつ棚２４に載置して収納作業を進める運用であった。これに代えて、同一金種の複数の小束紙幣を一度に棚２４に載置して、各小束紙幣の金種が識別されても良い。この場合、それぞれ金種が識別された複数の小束紙幣は、順番に紙幣計数部２３で枚数が計数され、対応するドロアに収納される。最初に計数された小束紙幣の枚数が適正であれば、ドロアのロックが解除される。その後は、残りの小束紙幣が随時計数されドロアに収納される。ドロアのロック解除後に計数された小束紙幣の枚数が適正でなければ、エラーメッセージが出力される。この構成によれば、同一金種の貨幣を収納し続ける間、ドロアは開放され続けるため、収納作業を円滑に進めることができる。
【００８５】
また、上記実施形態では、貨幣情報が入金情報に適合しない場合に、音声により確認メッセージが出力されたが、貨幣情報が入金情報に適合しないことの報知方法はこれに限られない。たとえば、表示部２２における表示によって貨幣情報が入金情報に適合しないことが報知されても良く、あるいは、音声と表示の両方で貨幣情報が入金情報に適合しないことが報知されても良い。
【００８６】
また、ドロア２６ａ〜２６ｄに収納された紙幣および硬貨の計測方法は、ロードセル２０２を用いた重量による測定以外の方法であっても良い。たとえば、ドロア２６ａ〜２６ｄの開閉時にラインセンサによってドロア２６ａ〜２６ｄ内の画像を取得し、取得した画像に基づいて、ドロア２６ａ〜２６ｄに収納された紙幣および硬貨を計測しても良い。あるいは、貨幣収納領域の貨幣収納位置に反射型または透過型の光センサを配置し、光センサの検出結果に基づいて、ドロア２６ａ〜２６ｄに収納された紙幣および硬貨を計測しても良い。
【００８７】
この他、ドロアの数は、４つに限らず、１つあるいは他の数であっても良い。また、カメラ２５の設置位置も実施形態の位置に限らず、貨幣を撮像位置に応じて適宜変更可能である。また、紙幣以外の紙葉類が貨幣管理装置２０に収納および保管されても良い。
【００８８】
＜実施形態２＞
実施形態２では、ドロア２６ａ〜２６ｄの構成が実施形態１と相違している。この相違に基づき、貨幣管理装置２０内に貨幣を収納する際のフローチャートが修正されている。実施形態２では、小扉２６３が、特許請求の範囲に記載の「蓋部材」に対応する。
【００８９】
図９（ａ）は、実施形態２に係る貨幣管理装置２０の構成を示す斜視図、図９（ｂ）は、実施形態２に係るドロア２６ａの構成を示す斜視図である。
【００９０】
図９（ａ）、（ｂ）に示すように、ドロア２６ａには、上方に開放可能な６つの小扉２６３が設けられている。図９（ａ）、（ｂ）には前面に対して左側の小扉２６３が開かれた状態が示されている。各小扉２６３には、それぞれ、貨幣収納時（解錠時）に点滅するランプ２６４が設けられている。また、各小扉２６３を開けると、小束紙幣（ここでは１万円）を収納するための貨幣収納領域２６５が現れる。ドロア２６ｂもドロア２６ａと同様の構成を有する。また、ドロア２６ｃ〜２６ｄでは、包装硬貨を収納するための貨幣収納領域として、同様の構成が設けられている。ドロア２６ｂ〜２６ｄでは、金種ごとに貨幣収納領域２６５が設定されている。
【００９１】
各小扉２６３は、ロック機構（図示せず）により閉じた状態にロックされる。各小扉２６３は、バネにより開放方向に付勢されている。ロックが解除されると、小扉２６３は、この付勢によって、所定量だけ開放される。その後、作業者の操作によって小扉２６３が大きく開放される。なお、図４のロック機構２０１は、各小扉２６３を個別にロックする機構部を含んでいる。貨幣管理装置２０のその他の構成は、実施形態１と同様である。
【００９２】
図１０および図１１（ａ）は、実施形態２に係る貨幣管理装置２０の入金処理を示すフローチャートである。図１０および図１１（ａ）は、連動番号を用いて貨幣管理装置２０に入金情報を設定する場合のものである。
【００９３】
図１０のフローチャートは、図６に比べて、Ｓ１２１、Ｓ１２２が追加されている。図１０のその他のステップは、図６と同様である。また、図１１（ａ）のフローチャートは、図７（ａ）に比べて、Ｓ１２３、Ｓ１２４が追加されている。図１１（ａ）のその他のステップは、図７（ａ）と同様である。なお、作業者が手入力で貨幣管理装置２０に入金情報を設定する場合の処理では、実施形態１の場合と同様、図１０のＳ１０１〜Ｓ１０３が、図８（ａ）のＳ１３１、Ｓ１３２に置き換えられる。
【００９４】
図１０を参照して、制御部２０４は、金種が適正と判定した収納対象貨幣が小束紙幣でない場合（Ｓ１０９：ＮＯ）、または、金種が適正と判定した収納対象貨幣が小束紙幣であり、この小束紙幣の枚数が適正であった場合（Ｓ１１１：ＹＥＳ）、新たにドロアを開放する必要があるか否かを判定する（Ｓ１２１）。ここで、制御部２０４は、既に、収納対象金種のドロアのロックが解除されている場合にＳ１２１の判定をＹＥＳとし、全てのドロア２６ａ〜２６ｄがロックされている場合にＳ１２１の判定をＮＯとする。
【００９５】
全てのドロア２６ａ〜２６ｄがロックされている場合（Ｓ１２１：ＹＥＳ）、制御部２０４は、収納対象金種のドロアのロックを解除し（Ｓ１１３）、さらに、当該ドロア中の収納対象金種に対応する小扉２６３のロックを解除する（Ｓ１２２）。収納対象金種のドロアが１万円の金種のみのドロア２６ａである場合、制御部２０４は、収納対象貨幣（１万円）を受け入れ可能な小扉２６３のロックを解除する。また、既に、収納対象金種のドロアのロックが解除されている場合（Ｓ１２１：ＮＯ）、制御部２０４は、当該ドロア中の収納対象金種に対応する小扉２６３のロックを解除する（Ｓ１２２）。このとき、制御部２０４は、ロックが解除された小扉２６３のランプ２６４を点滅させる。こうして、収納対象金種の貨幣が収納可能となる。
【００９６】
図１１（ａ）を参照して、こうして収納対象金種の小扉２６３が開放され、収納領域に対する収納対象金種の全ての貨幣の収納が適正に終了すると（Ｓ１１７：ＹＥＳ）、制御部２０４は、開放中の小扉２６３を閉じることを促すガイダンスを出力する。そして、制御部２０４は、入金情報により特定される金種のうち収納作業が未処理の金種が残っているか否かを判定する（Ｓ１１８）。未処理の金種が残っていると（Ｓ１１８：ＮＯ）、制御部２０４は、未処理の金種中に、現在開放中のドロアに収納されるべき金種が残っているか否かを判定する（Ｓ１２３）。そして、制御部２０４は、Ｓ１２３の判定結果に基づいて、開放中のドロアの開閉に関するガイダンスを行う（Ｓ１２４）。
【００９７】
現在開放中のドロアに収納されるべき金種が残っている場合、制御部２０４は、開放中のドロアを開放状態に維持することを促すガイダンスを出力する。現在開放中のドロアに収納されるべき金種が残っていない場合、制御部２０４は、開放中のドロアを閉じることを促すガイダンスを出力する。その後、制御部２０４は、処理をＳ１０４に戻し、未処理の金種について、Ｓ１０４移行の処理を実行する。
【００９８】
開放中のドロアに収納されるべき金種が残っている場合、制御部２０４は、Ｓ１０４、Ｓ１０５の処理において、当該金種について新たに収納対象金種を設定し、設定した収納対象金種の貨幣の収納を進めることを促すガイダンスを出力する。こうして、作業者により、新たに設定された収納対象金種に関する作業が適正に進められると、やがて、処理がＳ１２１へと進む。この場合、既に、収納対象金種のドロアのロックが解除されているため、Ｓ１２１の判定がＮＯとなる。これにより、制御部２０４は、処理をＳ１２２へと進め、開放中のドロア内の収納対象金種に対応する小扉２６３のロックを解除する。こうして、新たに設定された収納対象金種に対する貨幣の収納が可能となる。
【００９９】
図１１（ｂ）は、小扉２６３のロック処理を示すフローチャートである。図１１（ｂ）の処理は、図１０のＳ１２２により小扉２６３のロックが解除されることにより開始される。
【０１００】
制御部２０４は、図１０のＳ１２２でロックが解除された小扉（ここでは、「対象小扉」という）２６３が閉じられたか否かを判定する（Ｓ２１１）。対象小扉２６３が閉じられると（Ｓ２１１：ＹＥＳ）、制御部２０４は、対象小扉２６３の収納領域に収納された貨幣について精査を行う（Ｓ２１２）。すなわち、制御部２０４は、対象小扉２６３の収納領域に設置されたロードセル２０２の重量変化から、図１０のＳ１２２でロックが解除された後に対象小扉２６３に収納された金種の貨幣の数（小束紙幣の束数または包装硬貨の本数）を算出する。そして、算出した貨幣の数が、入金情報により特定される収納対象金種の貨幣の数に一致するか否かを判定する。２つの貨幣の数量が一致しない場合（Ｓ２１２：ＮＯ）、制御部２０４は、収納が適正に行われなかったとして、エラーメッセージを報知部２０３に出力させる（Ｓ２１３）。２つの貨幣の数量が一致する場合（Ｓ２１２：ＹＥＳ）、制御部２０４は、ロック機構２０１を制御して対象小扉２６３をロックし（Ｓ２１４）、処理を終了する。
【０１０１】
実施形態２によれば、収納対象貨幣から取得した貨幣情報（金種、小束紙幣中の紙幣の枚数）に基づいて、収納対象金種のドロアのみならず、当該ドロア内の収納対象金種の小扉２６３についてもロックの解除が為されるため、収納領域に対する貨幣の入れ間違いをより確実に防止できる。
【０１０２】
また、同一ドロアに収納されるべき他の金種の貨幣が残っている場合に、ドロアの開放が維持されたまま、小扉２６３に対するロック解除が行われるため、収納対象金種が変わるごとに逐一ドロアを閉じる必要がない。また、このようにドロアが開放状態に維持されても、他の小扉２６３はロックされて、ドロア内の残りの収納領域へのアクセスが禁止されるため、収納領域に対する貨幣の入れ間違いや不正が防止される。よって、入れ間違いや不正を防止しつつ、貨幣収納時の作業性を高めることができる。
【０１０３】
なお、実施形態１で述べた種々の変更は、適宜、実施形態２にも適用可能である。また、図９（ａ）、（ｂ）の構成では、小扉２６３が上下に回動したが、小扉２６３の構成はこれに限られず、たとえば、小扉２６３がスライドすることにより、貨幣収納領域が開閉されても良い。
【０１０４】
＜実施形態３＞
実施形態３は、ＰＯＳ（point of sales）レジスタやテラーズマシンを備えた貨幣処理システムに本発明を適用したものである。
【０１０５】
図１２は、実施形態３に係る貨幣処理システム２の外観構成を示す図である。
【０１０６】
実施形態３では、貨幣処理システム２全体が、特許請求の範囲に記載の「貨幣管理装置」に対応する。また、硬貨受入部３３が特許請求の範囲に記載の「貨幣収納部」に対応し、シャッター３４が特許請求の範囲に記載の「状態切替部」に対応し、撮像部３６が特許請求の範囲に記載の「貨幣情報取得部」に対応する。また、撮像部３６の撮像画像に基づき識別された金種および各金種の硬貨の枚数が、特許請求の範囲に記載の「貨幣情報」に相当し、登録装置５０に入力された商品の売上金額が特許請求の範囲に記載の「入金情報」に相当する。
【０１０７】
図１２に示すように、貨幣処理システム２は、硬貨処理装置３０と、紙幣処理装置４０と、登録装置５０とを備える。硬貨処理装置３０は硬貨の入出金処理を行う硬貨釣銭機であり、紙幣処理装置４０は紙幣の入出金処理を行う紙幣釣銭機である。登録装置５０は、ＰＯＳレジスタやテラーズマシンであり、商品の購入情報の登録、売上金額の算出、顧客から受け取った受取金額の算出および釣銭金額の算出を行う。硬貨処理装置３０および紙幣処理装置４０は、登録装置５０に通信可能に接続されている。登録装置５０は、硬貨処理装置３０および紙幣処理装置４０を制御して、これら装置に釣銭の支払いを行わせる。
【０１０８】
硬貨処理装置３０は、載置部３１と、シュート３２と、硬貨受入部３３と、シャッター３４と、硬貨払出部３５と、撮像部３６とを備える。載置部３１は、硬貨を載せることが可能な平皿状の形状を有する。載置部３１の上面は、載置された硬貨を手でならすと硬貨が緩やかに嵌り込む窪みが形成されている。窪みに硬貨が嵌り込むことにより、硬貨が重なり合うことなく互いに離間する。シュート３２は、載置部３１に載置された硬貨を硬貨受入部３３へと導くためのものである。硬貨受入部３３は、上面に開口を有するが、通常はこの開口がシャッター３４で塞がれている。シャッター３４は、硬貨受入部３３へ硬貨が投入される際に、内部の駆動機構によって水平方向にスライドされる。硬貨の釣銭は、硬貨払出部３５に排出される。撮像部３６はカメラを備え、載置部３１上面に載置された硬貨を撮像する。撮像部３６は、載置部３１上面の全領域を撮像可能なようにアングルが調整されている。撮像された硬貨の画像は、随時、登録装置５０に送信される。
【０１０９】
紙幣処理装置４０は、紙幣受入口４１と、紙幣排出口４２とを備える。紙幣処理装置４０は、紙幣受入口４１に挿入された紙幣を内部に送り込んで内部の紙幣収納部に収納する。紙幣収納部への搬送過程で、紙幣は、識別手段により金種が識別され、金種に応じた収納領域に振り分けられる。紙幣排出口４２からは、釣銭の紙幣やリジェクト紙幣が排出される。
【０１１０】
登録装置５０は、操作部５１と表示部５２を備える。操作部５１はキーボードからなっており、さらに、商品に付されたバーコードを読み取るバーコードリーダを備えている。表示部５２は、商品の品目や売上額等を表示する。登録装置５０は、内部に演算ユニットとメモリを備え、メモリに記憶されたプログラムに従って商品購入に関する処理を行う。
【０１１１】
商品購入時には、商品に付されたバーコードが操作部５１のバーコードリーダで読み取られ、商品の登録が行われる。これにより、顧客が購入した商品の売上金額が算出される。こうして購入対象の全ての商品について登録と売上金額の演算が行われる。その後、操作部５１の小計ボタンが押下され、最終的な売上金額が確定される。
【０１１２】
最終的な売上金額が確定すると、顧客が売上金額に対応した貨幣を支払う。この際、紙幣は、レジ係等の操作者によって紙幣受入口４１に挿入され、紙幣ごとに金種が識別される。硬貨は、顧客または操作者によって載置部３１上に載置される。操作者や顧客が硬貨を載置部３１上でならすことで、各硬貨が載置部３１上面の窪みに嵌り込み、各硬貨が分離される。こうして分離された硬貨が撮像部３６によって撮像され、取得された撮像画像が、随時、登録装置５０の制御部に送信される。
【０１１３】
登録装置５０の制御部は、受信した撮像画像に基づいて、載置部３１上の硬貨の金種を随時判別し、判別結果に基づく情報を表示部５２に表示する。このとき、表示部５２には、たとえば、硬貨の画像、硬貨の金種、硬貨の合計金額、硬貨の金種別枚数および硬貨の合計金額と紙幣の合計金額とを合算した預かり金額、釣銭金額または不足金額等が表示される。
【０１１４】
顧客が支払った預かり金額が売上金額未満の場合、登録装置５０の制御部は、シャッター３４により硬貨受入部３３を閉塞させたまま、支払い金額が足らないことを表示部５２に表示させる。これにより、不足金額が顧客から支払われる。不足金額の支払いが硬貨によりなされた場合、この硬貨が載置部３１に載置される。これにより、撮像画像に含まれる硬貨が増加し、追加された硬貨の金種が新たに識別される。その結果、顧客が支払った預かり金額が更新される。
【０１１５】
また、撮像画像に基づく金種識別により、載置部３１上の硬貨に識別不能な不所望な硬貨等が含まれると判定した場合も、登録装置５０の制御部は、シャッター３４により硬貨受入部３３を閉塞させたまま、不所望な硬貨が含まれていることを表示部５２に表示させる。この場合、たとえば、表示部５２に表示されている硬貨のうち、識別不能な不所望な硬貨に所定のマーキングが付される。これにより、操作者は、不所望な硬貨を載置部３１から取り上げて、購入者に返却する。
【０１１６】
顧客が支払った預かり金額が売上金額以上である場合、登録装置５０の制御部は、清算処理を実行する。これにより、適宜、硬貨払出部３５および紙幣排出口４２からそれぞれ釣銭が払い出される。払い出された釣銭は、操作者により顧客に返金される。また、登録装置５０は、硬貨処理装置３０に、シャッター３４を開放する指令を入力する。これにより、硬貨処理装置３０は、駆動機構を制御してシャッター３４を開放する。
【０１１７】
その後、操作者が、載置部３１上の硬貨をシュート３２へと移動させ、シュート３２を介して硬貨を硬貨受入部３３に投入する。硬貨処理装置３０は、投入された各硬貨の金種を識別し、識別結果を登録装置５０の制御部に送信する。登録装置５０の制御部は、受信した投入硬貨のそれぞれの金種が撮像画像に基づいて識別した各硬貨の金種に一対一で対応するかを判定する。これら金種が一対一で対応すると、登録装置５０の制御部は、硬貨処理装置３０にシャッター３４の閉塞指令を送信する。これにより、シャッター３４が閉じられる。
【０１１８】
他方、硬貨処理装置３０から受信した投入硬貨のそれぞれの金種が撮像画像に基づいて識別した各硬貨の金種に一対一で対応しない場合、登録装置５０の制御部は、シャッター３４を開放させたまま、投入金額が足らないことを表示部５２に表示させる。これにより、操作者は、たとえば、載置部３１に硬貨が残っていたような場合に、この硬貨を硬貨受入部３３に投入する。こうして、全ての硬貨が投入され、処理が終了する。
【０１１９】
実施形態３によれば、撮像部３６の撮像画像に基づき金種識別を行って、購入者が支払った硬貨の合計額が算出される。また、この合計額と紙幣受入口４１から挿入された紙幣の合計額が加算されて、購入者からの預かり金額が算出される。そして、預かり金額が商品の売上金額未満である場合、シャッター３４は開放されず、硬貨受入部３３に対する載置部３１上の硬貨の投入が禁止される。これにより、金額が不足の状態で硬貨が硬貨受入部３３に投入されることが防止される。よって、実施形態３によれば、硬貨受入部３３に対する不適正な入金操作を防止することができる。
【０１２０】
また、実施形態３では、撮像画像に基づく金種識別により、載置部３１上の硬貨に識別不能な不所望な硬貨等が含まれると判定した場合も、シャッター３４が開放されない。これにより、不所望な硬貨等が誤って硬貨受入部３３に投入されることを防止することができる。
【０１２１】
なお、実施形態３では、登録装置５０の制御部によりシャッター３４の開閉の適否が判定されたが、この判定が硬貨処理装置３０で行われても良く、あるいは、他の制御装置で行われても良い。
【符号の説明】
【０１２２】
１０  出納機
２０  貨幣管理装置
２１  入力部
２５  カメラ（貨幣情報取得部）
２６ａ〜２６ｄ  ドロア（状態切替部）
２０１  ロック機構（状態切替部）
２０３  報知部
２０６  通信部
２０４  制御部
２６１  紙幣収納領域（貨幣収納部）
２６２  硬貨収納領域（貨幣収納部）
２６３  小扉（蓋部材）
３０  硬貨処理装置
３３  硬貨受入部（貨幣収納部）
３４  シャッター（状態切替部）
３６  撮像部（貨幣状態取得部）
５０  登録部（制御部）
５１  操作部
【図１】
0006674193.tif 000002
【図２】
0006674193.tif 000003
【図３】
0006674193.tif 000004
【図４】
0006674193.tif 000005
【図５】
0006674193.tif 000006
【図６】
0006674193.tif 000007
【図７】
0006674193.tif 000008
【図８】
0006674193.tif 000009
【図９】
0006674193.tif 000010
【図１０】
0006674193.tif 000011
【図１１】
0006674193.tif 000012
【図１２】
0006674193.tif 000013